(57)【要約】　　　（修正有）【課題】ファスナ打込み工具用の安定化されたマガジンフォロアを提供する。【解決手段】打撃ブレードを有するピストンを納め、且つ軸線３０を有するハウジング２８と、ハウジング２８に結合されていて軸方向に延在するノーズピース３６であって、ファスナ８を受け入れるため且つ打撃ブレードをファスナ８との衝突へ向けて軸方向に案内するための円筒状シリンダを有するノーズピースと、ファスナ集結帯をノーズピース３６の円筒状シリンダへ送給するためにノーズピース３６に結合されたマガジン１２と、ファスナ集結帯をノーズピース３６の方へ付勢するためにマガジン１２に滑動可能に取り付けられていて輪郭を有するマガジンフォロア１０と、を有するファスナ打込み工具２において、集結帯が、マガジンフォロア１０の輪郭を補完する輪郭を有する伸長部分を含む。【選択図】図３
2004074403.tif 000002
【特許請求の範囲】
【請求項１】
　打撃ブレードを有するピストンを納める、軸線のあるハウジングと；
　ハウジングに結合されて軸方向に延びるノーズピースであって、ファスナを受け入れるため及び打撃ブレードをファスナとの衝突に向けて軸方向に案内するための円筒状シリンダを有するノーズピースと；
　ファスナ集結帯をノーズピースの円筒状シリンダに送給するためにノーズピースに結合されているマガジンと；
　ファスナ集結帯をノーズピースの方へ付勢するためにマガジンに滑動可能に取り付けられ、且つ輪郭を有するマガジンフォロアと；を具備するファスナ打込み工具であって、
　集結帯が、マガジンフォロアの輪郭を補完する輪郭を有する伸長部分を含んでいるところの、ファスナ打込み工具。
【請求項２】
　マガジンフォロアの輪郭が、概ね凹構造形を有しているところの、請求項１に記載のファスナ打込み工具。
【請求項３】
　伸長部分の輪郭が、概ね凸構造形を有するところの、請求項１に記載のファスナ打込み工具。
【請求項４】
　マガジンフォロアの輪郭が、概ね長方形であるところの、請求項１に記載のファスナ打込み工具。
【請求項５】
　伸長部分の輪郭が、概ね長方形であるところの、請求項１に記載のファスナ打込み工具。
【請求項６】
　マガジンフォロアの輪郭が、集結帯の伸長部分を取り囲むところの、請求項１に記載のファスナ打込み工具。
【請求項７】
　マガジンフォロアの輪郭が、集結帯の伸長部分に係合するところの、請求項１に記載のファスナ打込み工具。
【請求項８】
　マガジンが、集結帯をマガジンに沿って案内するための溝を含むところの、請求項１に記載のファスナ打込み工具。
【請求項９】
　マガジンフォロアが第一位置と第二位置との間で可動であるところの、及びマガジンフォロアが第一位置にあるときマガジンフォロアの輪郭が溝の外側にあるところの、及びマガジンフォロアが第二位置にあるときマガジンフォロアの輪郭が溝の中にあるところの、請求項８に記載のファスナ打込み工具。
【発明の詳細な説明】
【技術分野】
【０００１】
　本発明は、ファスナ打込み工具用マガジンフォロア部に向けられたものである。
【背景技術】
【０００２】
　多くのファスナ打込み工具が、ファスナ集結帯を工具のノーズピースに送給するためのマガジンを含んでいる。ファスナ打込み工具で使用される集結帯の多くは、連続して接続された複数のスリーブを含んでいて、そこでは工具が先導のファスナを打つとき、先導のスリーブとファスナとが隣接するスリーブから切り離されることが可能である。ファスナ集結帯の例が、本発明の譲受人に譲渡された特許文献１及び特許文献２において教示されており、前記特許文献の内容は、引用することをもって本明細書に組み入れられている。
【０００３】
　多くのファスナ打込み工具は、ファスナを送給するためにマガジンを組み込んでおり、又集結帯をノーズピースの方に付勢するためにマガジンフォロアも含んでいて、その結果一つのファスナが打たれた時、次のファスナが打たれるべき位置にあるように残りのファスナがノーズピースの方に押される。マガジンフォロアの例が、本発明の譲受人に譲渡された特許文献３において教示されており、前記特許文献の内容は引用することをもって本明細書に組み入れられている。
【特許文献１】米国特許第５０６９３４０号明細書（Ernst等による）
【特許文献２】米国特許第５９３１６２２号明細書（Gupta等による）
【特許文献３】米国特許第６１７６４１２号明細書（Weinger等による）
【特許文献４】米国特許第５７４１１０４号明細書（Lat等による）
【特許文献５】米国特許第５７４９６９２号明細書（Kish等による）
【発明の開示】
【発明が解決しようとする課題】
【０００４】
　従来のマガジンフォロアは、集結帯を僅かに曲げ、その結果ファスナが互いに角度が付いて、集結帯が、マガジンフォロアに押されるとき僅かに斜めにされることで知られている。“ジャッキング（jacking）”としても知られているこの曲がりが、場合によっては集結帯のスリーブの一つを折り取ることがあり、このことがファスナ打込み工具の詰まりの原因となる。
【０００５】
　必要とされるものは、マガジン内のファスナ集結帯の後端を安定にして、集結帯が、正しい方向でマガジンを通ってマガジンフォロアによって送給されることを確実にするマガジンフォロアである。
【課題を解決するための手段】
【０００６】
　本発明によりファスナ打込み工具が準備される。打撃ブレードを有するピストンを収納し且つ軸線を有するハウジングと、ハウジングに結合されていて且つ軸方向に延在しているノーズピースであって、ファスナを受け入れるため及びファスナとの衝突に向けて打撃ブレードを軸方向に案内するための円筒状シリンダを有するノーズピースと、ファスナ集結帯をノーズピースの円筒状シリンダに送給するためにノーズピースに結合されているマガジンと、ファスナ集結帯をノーズピースの方に付勢するためにマガジンに滑動可能に装着されたマガジンフォロアであって、輪郭を有するマガジンフォロアとをファスナ打込み工具が含んでおり、そこではファスナ集結帯が、マガジンフォロアの輪郭を補完する輪郭を有する伸長部分を含んでいる。
【０００７】
　また本発明によると、ファスナ打込み工具が、ファスナを基材に打ち込むために準備される。ファスナ打込み工具は、軸線を有するハウジングと、ハウジングに接続され且つハウジングから軸方向に離れるように延びるノーズピースと、ファスナ集結帯をノーズピースへ送給するためにノーズピースに結合されたマガジンとを含んでおり、そこではファスナ集結帯が、後端を有して、後端において輪郭を有しており、そしてファスナ集結帯をノーズピースの方に付勢するためのマガジンフォロアであってファスナ集結帯の輪郭を補完する輪郭を有するマガジンフォロアを含んでいる。
【０００８】
　これらの及び他の目的と特徴と利点は、本発明の実施態様の、添付図を参照した以下の説明から明らかである。
【発明を実施するための最良の形態】
【０００９】
　斬新で独創的なファスナ打込み工具２が図に示されている。工具２は、工具２のマガジン１２を通るファスナ８の集結帯２０を付勢するための斬新で独創的なマガジンフォロア１０を含んでいる。マガジンフォロア１０は、ピストン打撃棒１６でファスナを打つ前に、ファスナ８の集結帯２０をマガジン１２に沿って押してファスナ８を工具２の円筒状シリンダ１４の中に送給するために集結帯２０に対して力を作用させる。マガジンフォロア１０は斬新な輪郭２２も含んでおり、前記輪郭２２は集結帯２０の輪郭２４に対応する。マガジンフォロア１０の輪郭と集結帯２０の輪郭が合うことが、集結帯２０の優れた安定性をマガジン１２の中で提供する。
【００１０】
　工具２は、筐体２６を含んでおり、前記筐体２６は、ピストン打撃棒１６を有するピストン（非図示）を納めるためのハウジング２８を有している。筐体２６は、通常は円筒形状であって、工具２の全長を貫いて走る中心軸線３０を有している。工具２は、ピストンを打込み方向に駆動するために、駆動力を生み出すための動力源を使用する。動力源の例は、ピストンを駆動するための圧縮空気を使用する空気圧動力、及び発火ガソリンを使うガソリン燃焼動力、及びピストンを駆動するための粉末火薬を使用する火薬作動工具を含んでいる。ハンドル３２が筐体２６から半径方向に離れるように延びていて、工具２を作動するための引き金３４を含んでいる。ハウジング２８に結合されていて、打込み方向でハウジング２８から軸方向に離れるように延在しているノーズピース３６も工具２に含まれている。ピストン、ピストン打撃棒１６、及びノーズピース３６も、概ね円筒形状であって、筐体２６と同一の中心軸線３０を有している。ノーズピース３６は、ファスナ８を受け入れるため、及び打撃ブレードとしても知られているピストン打撃棒１６をファスナ８との衝突へ向けて案内するために、ノーズピース３６の全長を貫いて軸方向に延在する円筒状シリンダ１４を含んでいる。集結帯２０を送給するためのマガジン１２が、ノーズピース３６に接続されていて、ノーズピース３６から軸方向に離れるように延びている。マガジン１２は、集結帯２０をマガジン１２の長さに沿ってノーズピース３６の方へ案内するための溝３８を含んでいる。
【００１１】
　工具２は、基材４の支持部材６へのファスナ８を使用した取り付けを提供する。基材４は、建物の支持構造材に普通に取り付けられるいくつかの構造材料の中の一つであり、例としては、防護シート、及び石膏ボード、又はパーティクルボード、又は合板のような外装材がある。支持部材６は、建築業界で使用されるいくつかの支持構造材の中の一つであり、木質支持スタッド又は細〜中ゲージの鋼製骨組みスタッドを含んでいる。
【００１２】
　集結帯２０は、ファスナ８の集結帯２０をノーズピース３６に送給するためのマガジン溝３８の中にセットされる。ばねで付勢されたマガジンフォロア１０が、集結帯２０を溝３８に沿ってノーズピース３６の方へ付勢するために含まれている。マガジンフォロア１０は、ホルダ４０と、先端４４において輪郭２２をもつ、先端４４を有する係合部４２とを含んでいる。マガジンフォロア１０は、マガジンフォロア１０をマガジン１２に沿って引っ張るためにマガジンフォロア１０とノーズピース３６との間に置かれているばね（非図示）によってノーズピース３６の方へ付勢されている。ばねは、集結帯２０を溝３８に沿って付勢するためにマガジンフォロア１０に対して概ね一定の力を与えている。ファスナ８が工具２により打たれた後は、円筒状シリンダ１４の中に空き空間が生じる。ばねがマガジンフォロア１０を引っ張り、次にマガジンフォロア１０が集結帯２０を付勢し、その結果次のファスナ８が工具２により打たれることが可能であるように次のスリーブ４６とファスナ８とが円筒状シリンダ１４内の空き空間に押し込められる。マガジンフォロア１０を引っ張るために用いられるばねの例は、約２．５４ｍｍ（０．１ｉｎ）の線径と、約９．５２ｍｍ（０．３７５ｉｎ）の幅と、約４０１．３ｍｍ（１５．８ｉｎ）の長さとを有する、３０１ステンレスから作られた定荷重ばねであり、そこでは、ばねは、マガジンフォロア１０に作用する約９．８Ｎ（２．２ｌｂｆ）の概ね一定な力を提供することが可能である。
【００１３】
　図１で見られるように、集結帯２０は、複数のファスナを保持するための複数のスリーブ４６を含んでいる。スリーブ４６は、隣のスリーブ４６との間の少なくとも一つの折れやすいブリッジ４８によって、集結平面に沿って列になって接続されている。各々のスリーブ４６は本体５０を含んでおり、前記本体５０は、随伴のファスナ８を所定の方向で保持するために随伴のファスナ８を収容して取り囲んでいる。一つの実施態様では、集結帯２０が射出成形で形作られ、そしてファスナ８が各々のスリーブ４６の中に挿入される。スリーブ４６のいかなる部分もファスナ８の頭部５２と基材４との間で止められることがないように、集結帯２０の各々のスリーブ４６が二つの大きな破片に割裂するように作られることが好ましい。集結帯２０の好適な例が、本発明の譲受人に譲渡された代理人整理番号第１３７６８の米国同時継続特許出願において開示されており、前記特許文献の内容は引用することをもって本明細書に組み入れられている。
【００１４】
　図１及び２に示されている典型的なファスナ８が、頭部５２、先端５４、及び頭部５２と先端５４との間で軸方向に延在している胴５６を含んでいる。一つの実施態様では、ファスナ８は、胴５６の長さに沿って軸方向に延在する刻み目５８を含んでいる。刻み目５８は、より大きな引抜力という効果があり、その結果ファスナ８が基材４と支持部材６との間のより優れた結合を提供することができる。胴５６は、頭部５２において、一般にラッパ構造形とも呼称されているものの中に半径方向外側に広がっている。図１に示されるもののようなラッパ状頭部５２は、ファスナ８が打ち込まれた場合により大きな引抜力も提供し、また基材４の引裂きを防ぐ。先端５４は、頂点が僅かに丸くなっていることを除いて概ね円錐形状であることが好ましい。好適なファスナ８の例が、本発明の譲受人に譲渡された特許文献４及び特許文献５において開示されており、前記特許文献の内容は引用することをもって本明細書に組み入れられている。
【００１５】
　集結平面に沿って末端のスリーブ４６から離れるように延びている伸長部分６２が、集結帯２０の後端６０にある。伸長部分６２は末端のスリーブ４６に特有の輪郭２４を有している。マガジンフォロア１０の輪郭２２は、マガジンフォロアの輪郭２２が係合部４２から切り取られたように概ね凹構造形であることを除いて、伸長部分６２の輪郭２４に相補的であり、それに対して集結帯２０の輪郭２４は、輪郭２４が末端のスリーブ４６から離れるように延びて、伸長部分６２がマガジンフォロア１０の輪郭２２の中に納められることができるように概ね凸構造形を有しており、集結帯２０が安定化されて集結帯２０がマガジン１２に沿って真っ直ぐに付勢される。相補的な輪郭２２及び２４は、マガジンフォロア１０が、集結帯２０をマガジン溝３８に沿って押している間に、集結帯２０を支持して安定にすることを確実にして、集結帯２０の前述したような曲がり若しくは“ジャッキング”を防止する。
【００１６】
　マガジンフォロア１０は、以下に説明される、輪郭２２を有する係合部４２と、係合部４２を支持し且つマガジンフォロア１０ための案内を提供するホルダ４０とを含んでいる。マガジンフォロア１０は、図４及び５に示されるようにマガジン１２に対して横に取り付けられており、その結果マガジンフォロア１０はマガジン１２に対して滑動可能である。ホルダ４０は、マガジン１２に沿ったガイドレール（非図示）に対応する案内延長部分１００を含んでいる。係合部４２は回動ピン６４によってホルダ４０に結合されており、その結果係合部４２の先端４４が、図４に示されるような、輪郭２２がマガジン１２の外側にある第一位置から、図５で示されるような、輪郭２２がマガジン溝３８の内側にあるところの第二位置まで回動することができる。係合部４２は、この回動を提供するために図４及び５に示されるような角度で曲げられた断面を有している。
【００１７】
　一つの実施態様では、係合部４２は、回動ピン６４によりホルダ４０に結合された回動レッグ６６、角度の付いた二つのレッグ６８及び７０、並びに輪郭レッグ７２を含んでおり、前記輪郭レッグ７２に輪郭２２が配置されている。角度の付いたレッグ６８及び７０は、輪郭レッグ７２がチャンネル溝３８に沿って適切に位置決めされるように、好ましくは輪郭レッグ７２が基本的にはチャンネル溝３８に平行であるように、輪郭レッグ７２の方向を合わせる。輪郭レッグ７２の適切な方向合わせなしに、輪郭２２は集結帯２０をマガジン１２に沿って適切に付勢しない。角度の付いたレッグ６８及び７０は、マガジン１２に対して概ね凸であって、レッグ６８とレッグ７０との間の角度θは、約９０度と約１１０度との間であり、好適には約１００度である。輪郭レッグもまたレッグ７０に対して僅かに角度が付けられており、その結果輪郭レッグ７２はチャンネル溝３８に概ね平行に整列される。
【００１８】
　マガジンフォロア１０の係合部４２は、ばねと集結帯２０との間の力に十分耐えるほどに強い材料から作られるべきであり、また、集結帯２０を十分に支えるためにほぼ剛体であるべきである。係合部４２の好適な構造材料は、約３０から約４０のロックウェルＣスケールかたさに焼き戻し硬化されたＳＡＥ８６２０鋳物合金鋼であり、そこでは係合部４２の形状、特に輪郭２２がインベストメント鋳造法で作られる。ホルダ４０も弾性材料から作られるべきであるが、係合部４２ほど剛である必要はない。ホルダ４０に対する適切な構造材料の例も、約３０から約４０のロックウェルＣスケールかたさに焼き戻し硬化されたＳＡＥ８６２０鋳物合金鋼である。係合部４２及びホルダ４０は、腐食を避けるためにめっきされることもある。好適なめっきは、約７．６μｍ（０．０００３ｉｎ）と約１２．７μｍ（０．０００５ｉｎ）の間の厚さを有する無電解ニッケルめっきである。
【００１９】
　次に図６を参照すると、ノーズピース３６の円筒状シリンダ１４の中に送給される各々のスリーブ４６が正しい方向で送給されるように、マガジン１２が、集結帯２０を溝３８に沿って案内する。溝３８の断面が、集結帯２０とファスナ８との断面に対応する独特の形状を含んでいる。溝３８は、ファスナ８を所望の方向に維持する、頭部ガイド７４並びにスリーブガイド７６及び７８のようないくつかのガイド面を含んでいる。各々のスリーブ４６及びファスナ８は溝３８の中に所定の公差内で嵌まり込んでいる。集結帯２０は、送給開口（非図示）を通ってマガジン１２の後端８０の中に送給される。マガジンフォロア１０は第一位置にセットされており、その結果集結帯２０がマガジンフォロア１０を過ぎたところでノーズピース３６の方に押されることができるように係合部４２がマガジン溝３８の外側にある。次に係合部４２が第一位置から第二位置へ回動し、その結果マガジンフォロアの輪郭２２が集結帯２０と係合することができるように溝３８の中にある。
【００２０】
　図２に示される一つの実施態様では、集結帯２０の伸長部分６２の輪郭２４が、概ね長方形であって、上面８２、側面８４、及び下面８６を有している。側面８４の長さｌは、集結帯２０の各々のスリーブ４６の長さと同一である。マガジンフォロアの輪郭２２も概ね長方形であって、伸長部分６２の輪郭２４を補完する。マガジンフォロアの輪郭２２は、伸長部分６２の、上面８２、側面８４、及び下面８６にそれぞれ対応する上面８８、側面９０、及び底面９２を有している。
【００２１】
　マガジンフォロアの輪郭２２の長さＬは、集結帯の伸長部分６２が所定の公差内でマガジンフォロア１０内にはまるように、集結帯の輪郭２４の長さｌよりも僅かに大である。マガジンフォロア１０の係合部４２は、ファスナ８の全長ＬFよりも短い全長ＬTを有するべきである。係合部４２の先端面９４とファスナ胴５６の外面９６との間の間隙Ｃは、可能な限り狭いことが好ましく、従ってマガジンフォロアの輪郭２２の深さＤは、マガジンフォロア１０が所定の公差内でファスナ胴５６に近接するように選定される。狭い間隙Ｃは、係合部４２が胴５６を支持することと、ファスナ８がずれた場合にファスナ８の配列を補正することとを可能にする。係合部４２の幅Ｗも、集結帯２０の横方向の安定性を保証するために伸長部分６２の幅ｗよりも僅かに大である。
【００２２】
　一つの実施態様では、ファスナ８の全長ＬFは約２５．４ｍｍ（１ｉｎ）であり、一方集結帯２０の伸長部分６２の長さｌは約８．６ｍｍ（０．３４ｉｎ）である。係合部４２の全長ＬTは約２１．１ｍｍ（０．８３ｉｎ）であり、また係合部の輪郭２２の長さＬは約１０．８ｍｍ（０．４２５ｉｎ）である。マガジンフォロアの輪郭２２の上面８８と伸長部分６２の上面８２との間、及びマガジンフォロアの輪郭２２の底面９２と伸長部分６２の下面８６との間の総合の公差は約２．０３ｍｍ（０．０８ｉｎ）である。一つの実施態様では、マガジンフォロアの輪郭２２の深さＤは約２．５４ｍｍ（０．１ｉｎ）であり、胴５６の外面９６から伸長部分６２の側面８４までの、伸長部分６２の深さｄは約３．０５ｍｍ（０．１２ｉｎ）であり、また胴５６の外面９６と係合部４２の先端面９４との間の間隙Ｃは約０．５１ｍｍ（０．０２ｉｎ）である。係合部４２の幅Ｗは、約３．８１ｍｍ（０．１５ｉｎ）であり、また伸長部分６２の幅ｗは、約３．０５ｍｍ（０．１２ｉｎ）である。
【００２３】
　マガジンフォロア１０が、ばねにより付勢されて、集結帯２０を溝３８に沿ってノーズピース３６の方へ引っ張るとき、マガジンフォロア１０の側面９０は伸長部分６２の側面８４に係合して集結帯２０をノーズピース３６の方へ押し、一方マガジンフォロアの輪郭２２の上面８８は伸長部分６２の上面８２に係合し、且つマガジンフォロアの輪郭２２の底面９２は伸長部分６２の下面８６に係合して、マガジンフォロア１０が集結帯２０をマガジン１２に沿って押す間に、集結帯２０を安定にする。前述のように、係合部４２の先端面９４と胴５６との間の狭い間隙Ｃは、マガジンフォロア１０の安定化面８８及び９２と共に、後端のファスナ及びスリーブ４６が、マガジン１２の中の集結帯２０のその他の部分に対して曲がって転移することを防ぎ、その結果マガジンフォロア１０は集結帯２０を正しい方向でノーズピース３６の方へ真っ直ぐに付勢する。
【００２４】
　マガジンフォロア１０及び集結帯２０は代替の輪郭を有することが可能である。マガジンフォロアの輪郭２２の幾何学的形状と集結帯の輪郭２４の幾何学的形状は互いを補完すべきであり、またマガジンフォロア１０の支持面は、集結帯２０の曲がり若しくはジャッキングを防ぐために重要である。
【００２５】
　次に図７を参照すると、各々のスリーブ４６がノーズピース３６を通って円筒状シリンダ１４の中へ正しい方向で送給されるように、ノーズピース３６に開口９８が含まれている。開口９８は、スリーブ４６とファスナ８とが一つの方向でだけ通るのに適合するように形を決められており、その結果スリーブ４６若しくはファスナ８が不適切に整列された場合はスリーブ４６は開口９８の通過に適合しない。スリーブ４６及びファスナ８が正しく整列されたときは、それらは開口９８を通り抜けてノーズピース３６の中の円筒状シリンダ１４の中へゆく。
【００２６】
　スリーブ４６及びファスナ８が円筒状シリンダ１４内にあるとき、工具２はいつでも作動できる。ノーズピース３６は、それが工具２に対して伸長位置と後退位置とにあることができるように、工具２に接続されている。ノーズピース３６は伸長位置の方に付勢されており、そして工具２は、ノーズピース３６が後退位置にあるのでなければ作動できないように構成されており、その結果工具２は、ノーズピース３６が基材４に押し付けられなければ発砲不可能である。
【００２７】
　ノーズピース３６が後退位置の中に押されている場合、ファスナサポート（非図示）も、ファスナサポートがファスナ先端５４に係合するまで上方に押されて、ファスナサポートがファスナ８を所定の位置で支持する。ノーズピース３６が完全に後退させられると工具２は作動されることができ、ピストンが、ファスナ頭部５２を最終的に打って、ファスナ８及びスリーブ４６を打込み方向で駆動し始めるまでピストンを打込み方向で駆動する。剪断部材（非図示）も工具２に含まれており、前記剪断部材は、ファスナ８及びスリーブ４６が基材４に打ち込まれるときスリーブ４６を集結帯２０の残りの部分からきれいに剪断する。工具２が作動された後に、ファスナ８は基材４の中に打ち込まれ、そしてスリーブ４６はファスナ８から切断される。ファスナサポート及び剪断部材の例は、本発明の譲受人に譲渡された、代理人整理番号第１３１９６を有する、名称“ファスナ打込み工具用伸縮式支持装置（Telescoping Support Device For Fastener Driving Tool）”の米国特許出願において開示されており、前記特許文献の内容は引用することをもって本明細書に組み入れられている。
【００２８】
　先頭のファスナ８が打ち出されると、次のファスナ８及びスリーブ４６のために空き空間が円筒状シリンダ１４の中にできる。マガジンフォロア１０をノーズピース３６の方に付勢しているばねにより生み出された引張り力に起因して、次のファスナ８とスリーブ４６とが開口９８を通って円筒状シリンダ１４の中に押し込まれ、その結果工具２は再びいつでも作動できる。
【００２９】
　本発明は、マガジンフォロアによって付勢される集結帯の独特な輪郭に対して相補的で独特な輪郭を有する改良された斬新なマガジンフォロアを提供する。嵌合する輪郭は、マガジンフォロアが集結帯を支持することを可能にし、また集結帯がファスナ打込み工具のマガジン内で曲がること若しくは壊れること若しくはジャッキングすることを防ぐ。
【００３０】
　本発明は、前述の実施態様に限定されるものではないが、次の特許請求の範囲によってのみ限定される。
【図面の簡単な説明】
【００３１】
【図１】図１は、マガジンフォロア及びファスナ集結帯の側面図である。
【図２】図２は、マガジンフォロア及びファスナ集結帯の分解側面図である。
【図３】図３は、ファスナ打込み工具の部分切断側面図である。
【図４】図４は、マガジンフォロアが第一位置にある状態のファスナ打込み工具用マガジンの平面図である。
【図５】図５は、マガジンフォロアが第二位置にある状態のマガジンの平面図である。
【図６】図６は、マガジンチャネル内の集結帯を示すマガジンの断面図である。
【図７】図７は、集結帯をノーズピースへ送給するための開口を示す、ファスナ打込み工具のノーズピースの断面図である。
【符号の説明】
【００３２】
２…ファスナ打込み工具
８…ファスナ
１０…マガジンフォロア
１２…マガジン
２０…集結帯
２２…マガジンフォロアの輪郭
２４…集結帯の輪郭
２８…ハウジング
３６…ノーズピース
６２…伸長部分
【図１】
2004074403.tif 000003
【図２】
2004074403.tif 000004
【図３】
2004074403.tif 000005
【図４】
2004074403.tif 000006
【図５】
2004074403.tif 000007
【図６】
2004074403.tif 000008
【図７】
2004074403.tif 000009